(57)【特許請求の範囲】
【請求項１】
防水対象部位の排水口に接続された横方向に延びる排水管に挿入自在な筒部と、その筒部の一端部において前記筒部よりも径方向外側に拡大させた接合部とを有し、ドレンを横方向に案内する横引き用のドレン部材を備え、
前記筒部を前記排水管に挿入させて前記接合部を防水対象部位側の取付対象部に接合させる状態で前記ドレン部材を前記取付対象部への取付状態とし、
その取付状態の前記ドレン部材の前記接合部に重ね合わせる状態で防水対象部位に配設された防水層を備えた防水構造において、
前記ドレン部材の前記筒部の外径は、前記排水管の内径よりも小さく形成され、
前記排水管の内壁部と前記ドレン部材の前記接合部側とに亘って配設されて前記排水管の内壁部と前記ドレン部材の前記接合部側との間を遮蔽する遮蔽部材を備え、
前記遮蔽部材は、前記ドレン部材の前記接合部側に接続される一端部と前記排水管の内壁部に接続される他端部とを有し、その一端部と他端部との間において前記筒部の外周部との間に間隔を隔てる状態で配設されている防水構造。
【請求項２】
前記遮蔽部材の一端側は、前記ドレン部材の接合部側として、前記排水管の外部に接続されている請求項１に記載の防水構造。
【請求項３】
前記ドレン部材は、前記取付対象部と前記接合部との間に下地材を介在させる状態で前記接合部を前記取付対象部に接合させて前記取付状態とされ、前記遮蔽部材の一端側は、前記ドレン部材の前記接合部側として、前記下地材又は前記接合部に接続されている請求項１又は２に記載の防水構造。
【請求項４】
前記遮蔽部材は、変形自在な筒状に形成されている請求項１〜３の何れか１項に記載の防水構造。
【請求項５】
前記遮蔽部材の他端側は、その外径を調整自在に形成され、前記排水管の内壁部に接続されている請求項４に記載の防水構造。
【請求項６】
防水対象部位の排水口に接続された排水管に挿入自在な筒部と、その筒部の一端部において前記筒部よりも径方向外側に拡大させた接合部とを有するドレン部材を備え、
前記筒部を前記排水管に挿入させて前記接合部を防水対象部位側の取付対象部に接合させる状態で前記ドレン部材を前記取付対象部への取付状態とし、
その取付状態の前記ドレン部材の前記接合部に重ね合わせる状態で防水対象部位に配設された防水層を備えた防水構造において、
前記排水管の内壁部と前記ドレン部材の前記接合部側とに亘って配設されて前記排水管の内壁部と前記ドレン部材の前記接合部側との間を遮蔽する遮蔽部材を備え、
前記遮蔽部材は、変形自在な筒状に形成され、
前記遮蔽部材の他端側は、その外径を調整自在に形成され、前記排水管の内壁部に接続され、
前記遮蔽部材は、外径が異なる複数の筒状部位が前記遮蔽部材の軸心方向において他端側ほど小径となる状態で並べて備えられている防水構造。
【請求項７】
請求項１〜６の何れか１項に記載の防水構造の施工方法において、
前記遮蔽部材の一端側を前記ドレン部材の前記接合部側に接続して前記遮蔽部材と前記ドレン部材とを予め一体的に形成した状態で、前記ドレン部材を前記取付対象部に取り付け、その後、前記遮蔽部材の他端側を前記排水管の内壁部に接続する処理と、前記ドレン部材の前記接合部に重ね合わせる状態で前記防水対象部位に前記防水層を配設する処理とを行う防水構造の施工方法。
【請求項８】
請求項１〜６の何れか１項に記載の防水構造の施工方法において、
前記遮蔽部材の一端側を下地材に接続して前記遮蔽部材と前記下地材とを予め一体的に形成した状態で、前記下地材を前記取付対象部に取り付け、その後、前記遮蔽部材の他端側を前記排水管の内壁部に接続する処理と、前記取付対象部と前記接合部との間に前記下地材を介在させて前記ドレン部材を前記取付対象部に取り付ける処理と、前記ドレン部材の前記接合部に重ね合わせる状態で前記防水対象部位に前記防水層を配設する処理とを行う防水構造の施工方法。
【発明の詳細な説明】
【技術分野】
【０００１】
本発明は、建物の屋上等を防水対象部位として防水処理を施した防水構造、及び、その防水構造の施工方法に関する。
【背景技術】
【０００２】
建物の屋上等では、パラペット等の立ち上がり部の下端隅部等に配置された排水口に排水管が接続され、この排水管に雨水等のドレンを排水している。そこで、従来の防水構造では、屋上床面及び立ち上がり部に防水シート等により防水層を備えるとともに、その防水層と排水管とを繋ぐドレン部材を備え、そのドレン部材に重ね合わせる状態で防水層を配設してドレン部材と防水層とを接合することで、屋上床面や立ち上がり部等から排水管に亘る防水処理を施している（特許文献１、２参照。）。ドレン部材は、排水管の周囲を取付対象部とし、ドレンを横方向に案内する横引き用に構成されている。そして、ドレン部材は、排水管に挿入自在な蛇腹状の筒部と、その筒部の一端側において筒部よりも径方向外側に拡大されたシート状の接合部とを有している。ドレン部材の筒部を排水管に挿入するとともに、ドレン部材の接合部を立ち上がり部の下端隅部の形状に対応させた側面視Ｌ字状として、接合部を取付対象部に接合することで、ドレン部材が取付対象部に取り付けられている。
【先行技術文献】
【特許文献】
【０００３】
【特許文献１】特開平７−７６９０８号公報
【特許文献２】特許第２８８３２７３号公報
【発明の概要】
【発明が解決しようとする課題】
【０００４】
上記特許文献１、２の防水構造では、ドレン部材の筒部を排水管に挿入するので、筒部の外径は排水管の内径よりも小径に形成されており、筒部の外壁部と排水管の内壁部との間には隙間がある。また、ドレン部材の接合部を取付対象部に接合するに当たり、接合状況によっては、ドレン部材の接合部と取付対象部との間に空気が流通可能な隙間が生じる場合がある。
【０００５】
このように、ドレン部材の筒部の外壁部と排水管の内壁部との間だけでなく、ドレン部材の接合部と取付対象部との間にも隙間が生じると、排水管内からそれらの隙間を通して、ドレン部材に重ね合わせる状態で配設された防水層の裏側まで空気が流通可能となる。よって、例えば、外部から排水管内への風の吹き込みにより空気が排水口側に流通すると、その空気が、ドレン部材の筒部の外壁部と排水管の内壁部との間、及び、ドレン部材の接合部と取付対象部との間を通して、防水層の裏側に回り込み、防水層の膨れや浮き等の不具合を招く虞がある。
【０００６】
ここで、特許文献２の防水構造では、雨水の逆流を防止するために、ドレン部材の筒部の外壁部と排水管の内壁部との間にシーリング材を充填することで、ドレン部材の筒部の外壁部と排水管の内壁部とを接合している。この接合により、ドレン部材の筒部の外壁部と排水管の内壁部との間での空気の流通を防止することが考えられる。
【０００７】
しかしながら、ドレン部材の筒部を排水管に挿入し易くするためには、排水管の内径に対して筒部の外径を極力小径にすることから、筒部の外壁部と排水管の内壁部との間に大きな隙間が形成される。よって、シーリング材の充填対象が大きな隙間となるので、この大きな隙間に空気が流通可能な空間を形成することなくシーリング材を充填することが難しいものとなる。また、排水管の内壁部に対する接合対象をドレン部材の筒部としていることから、次のような不都合も生じるものとなる。ドレン部材の筒部の外壁部と排水管の内壁部とを接合した場合には、筒部の外径が排水管の内径よりも小径であることから、筒部の接合部位が径方向外側に引っ張られた状態となり、筒部の接合部位には径方向内側に復帰しようとする力がかかり、筒部の外壁部と排水管の内壁部との接合が外れてしまう可能性がある。
【０００８】
このように、シーリング材にてドレン部材の筒部の外壁部と排水管の内壁部とを接合しても、ドレン部材の筒部の外壁部と排水管の内壁部との間での空気の流通を防止することが難しく、依然として、空気の流通による防水層の膨れや浮き等の不具合を招く虞がある。
【０００９】
この実情に鑑み、本発明の主たる課題は、ドレン部材の筒部の外壁部と排水管の内壁部との間、及び、ドレン部材の接合部と取付対象部との間を通した空気の流通を防止して、防水層の膨れや浮き等の不具合の発生を抑制できる防水構造、及び、その防水構造の施工方法を提供する点にある。
【課題を解決するための手段】
【００１０】
本発明の第１特徴構成は、防水対象部位の排水口に接続された横方向に延びる排水管に挿入自在な筒部と、その筒部の一端部において前記筒部よりも径方向外側に拡大させた接合部とを有し、ドレンを横方向に案内する横引き用のドレン部材を備え、
前記筒部を前記排水管に挿入させて前記接合部を防水対象部位側の取付対象部に接合させる状態で前記ドレン部材を前記取付対象部への取付状態とし、
その取付状態の前記ドレン部材の前記接合部に重ね合わせる状態で防水対象部位に配設された防水層を備えた防水構造において、
前記ドレン部材の前記筒部の外径は、前記排水管の内径よりも小さく形成され、
前記排水管の内壁部と前記ドレン部材の前記接合部側とに亘って配設されて前記排水管の内壁部と前記ドレン部材の前記接合部側との間を遮蔽する遮蔽部材を備え、
前記遮蔽部材は、前記ドレン部材の前記接合部側に接続される一端部と前記排水管の内壁部に接続される他端部とを有し、その一端部と他端部との間において前記筒部の外周部との間に間隔を隔てる状態で配設されている点にある。
【００１１】
本構成によれば、遮蔽部材は、排水管の内壁部とドレン部材の接合部側との間を遮蔽するので、ドレン部材の筒部の外壁部と排水管の内壁部との間を空気が流通したとしても、遮蔽部材の遮蔽によって、その空気がドレン部材の接合部と取付対象部との間に流通するのが防止される。そして、遮蔽部材は、排水管の内壁部とドレン部材の接合部側とに亘って配設されているので、ドレン部材の接合部側を接続対象としている。これにより、遮蔽部材は、ドレン部材の筒部とは無関係にドレン部材の接合部側に接続できるので、ドレン部材の筒部を径方向外側への引っ張り状態としてしまうことや、ドレン部材の筒部との接続が外れてしまう等、ドレン部材の筒部側を接続対象とすることによる不都合の発生を防止できる。以上のことから、排水管の内壁部とドレン部材の接合部側との間を遮蔽するという機能を適切に発揮する状態で遮蔽部材を設けることができ、その遮蔽部材の遮蔽によって空気の流通を防止して、防水層の膨れや浮き等の不具合の発生を抑制できる。
【００１２】
本発明の第２特徴構成は、前記遮蔽部材の一端側は、前記ドレン部材の接合部側として、前記排水管の外部に接続されている点にある。
【００１３】
本構成によれば、遮蔽部材の一端側は、排水管の内部ではなく、排水管の外部に接続されているので、排水管の外部にてその接続作業を行うことができる。これにより、接続作業が行い易く、遮蔽機能が適切に発揮できるように遮蔽部材の一端側とドレン部材の接合部側との接続を適切に行える。
【００１４】
本発明の第３特徴構成は、前記ドレン部材は、前記取付対象部と前記接合部との間に下地材を介在させる状態で前記接合部を前記取付対象部に接合させて前記取付状態とされ、前記遮蔽部材の一端側は、前記ドレン部材の前記接合部側として、前記下地材又は前記接合部に接続されている点にある。
【００１５】
本構成によれば、取付対象部と接合部との間に下地材を介在させるので、例えば、取付対象部に対する下地処理等の簡素化を図りながら、取付対象部と接合部とを接合できるとともに、下地材を介して取付対象部と接合部とを強固に接合できる。そして、遮蔽部材の一端側の接続対象を、ドレン部材の接合部だけでなく、下地材も選択することができ、接続対象の選択の自由度を向上でき、施工性の向上を図れる。
【００１６】
本発明の第４特徴構成は、前記遮蔽部材は、変形自在な筒状に形成されている点にある。
【００１７】
本構成によれば、遮蔽部材を取り付ける際に、遮蔽部材を変形させながら、排水管への遮蔽部材の挿入、及び、遮蔽部材の排水管の内壁部への接続を行うことができ、遮蔽部材の取付作業の簡素化を図れる。
【００１８】
本発明の第５特徴構成は、前記遮蔽部材の他端側は、その外径を調整自在に形成され、前記排水管の内壁部に接続されている点にある。
【００１９】
本構成によれば、建物等によって排水管の内径が異なる場合でも、遮蔽部材の他端側の外径を調整することで、排水管の内壁部に遮蔽部材の他端側を適切に接続することができる。よって、複数種の内径の排水管に対応しながら、遮蔽部材を適切に取り付けることができる。
【００２０】
本発明の第６特徴構成は、防水対象部位の排水口に接続された排水管に挿入自在な筒部と、その筒部の一端部において前記筒部よりも径方向外側に拡大させた接合部とを有するドレン部材を備え、
前記筒部を前記排水管に挿入させて前記接合部を防水対象部位側の取付対象部に接合させる状態で前記ドレン部材を前記取付対象部への取付状態とし、
その取付状態の前記ドレン部材の前記接合部に重ね合わせる状態で防水対象部位に配設された防水層を備えた防水構造において、
前記排水管の内壁部と前記ドレン部材の前記接合部側とに亘って配設されて前記排水管の内壁部と前記ドレン部材の前記接合部側との間を遮蔽する遮蔽部材を備え、
前記遮蔽部材は、変形自在な筒状に形成され、
前記遮蔽部材の他端側は、その外径を調整自在に形成され、前記排水管の内壁部に接続され、
前記遮蔽部材は、外径が異なる複数の筒状部位が前記遮蔽部材の軸心方向において他端側ほど小径となる状態で並べて備えられている点にある。
【００２１】
本構成によれば、排水管の内径に合わせて、複数の筒状部位のうち、どの筒状部位を接続させるかを選択でき、その選択した筒状部位を排水管の内壁部に接続することで、遮蔽部材の他端側を適切に接続できる。そして、複数の筒状部位が遮蔽部材の軸心方向において他端側ほど小径となる状態で並べられているので、例えば、遮蔽部材の軸心方向で途中や中間に位置する筒状部位を選択した場合には、その選択した筒状部位よりも遮蔽部材の他端側に位置する小径側の筒状部位を切断して除去することができる。よって、遮蔽部材として遮蔽機能を発揮しない部分を切断除去することで、ドレン部材等の他の部材の邪魔になることがない。
【００２２】
本発明の第７特徴構成は、上述の第１〜第６特徴構成の何れかに記載の防水構造の施工方法において、
前記遮蔽部材の一端側を前記ドレン部材の前記接合部側に接続して前記遮蔽部材と前記ドレン部材とを予め一体的に形成した状態で、前記ドレン部材を前記取付対象部に取り付け、その後、前記遮蔽部材の他端側を前記排水管の内壁部に接続する処理と、前記ドレン部材の前記接合部に重ね合わせる状態で前記防水対象部位に前記防水層を配設する処理とを行う点にある。
【００２３】
本構成によれば、ドレン部材を取付対象部に取り付ける以前に、遮蔽部材の一端側をドレン部材の接合部側に接続しているので、遮蔽部材の一端側とドレン部材の接合部側との接続を簡易に行える。よって、遮蔽部材の一端側とドレン部材の接合部側とを適切に接続でき、遮蔽部材の一端側とドレン部材の接合部側との遮蔽を適切に行える。そして、ドレン部材が一体的に形成されたドレン部材を取付対象部に取り付けた後、遮蔽部材の他端側を排水管の内壁部に接続する処理と、ドレン部材の接合部に重ね合わせる状態で防水対象部位に防水層を配設する処理とを行うことで、遮蔽部材の他端側と排水管の内壁部との遮蔽、及び、防水対象部位に対する防水層の配設を適切に行える。
【００２４】
本発明の第８特徴構成は、上述の第１〜第６特徴構成の何れかに記載の防水構造の施工方法において、
前記遮蔽部材の一端側を下地材に接続して前記遮蔽部材と前記下地材とを予め一体的に形成した状態で、前記下地材を前記取付対象部に取り付け、その後、前記遮蔽部材の他端側を前記排水管の内壁部に接続する処理と、前記取付対象部と前記接合部との間に前記下地材を介在させて前記ドレン部材を前記取付対象部に取り付ける処理と、前記ドレン部材の前記接合部に重ね合わせる状態で前記防水対象部位に前記防水層を配設する処理とを行う点にある。
【００２５】
本構成によれば、下地材を取付対象部に取り付ける以前に、遮蔽部材の一端側を下地材に接続しているので、遮蔽部材の一端側と下地材との接続を簡易に行える。よって、遮蔽部材の一端側と下地材とを適切に接続でき、遮蔽部材の一端側と下地材との遮蔽を適切に行える。そして、下地材を取付対象部に取り付けた後、遮蔽部材の他端側を排水管の内壁部に接続する処理と、ドレン部材を取付対象部に取り付ける処理と、ドレン部材の接合部に重ね合わせる状態で防水対象部位に防水層を配設する処理とを行うことで、遮蔽部材の他端側と排水管の内壁部との遮蔽、ドレン部材の取り付け、及び、防水対象部位に対する防水層の配設を適切に行える。
【図面の簡単な説明】
【００２６】
【図１】第１実施形態における防水構造の断面図
【図２】遮蔽部材を示す斜視図
【図３】排水管の内壁部に対する遮蔽部材の接続状態を示す断面図
【図４】第１実施形態における防水構造の施工途中を示す図
【図５】第１実施形態における下地材と遮蔽部材を示す図
【図６】第１実施形態における防水構造の施工途中を示す図
【図７】第２実施形態における防水構造の断面図
【図８】第２実施形態における防水構造の施工途中を示す図
【図９】第３実施形態における防水構造の断面図
【発明を実施するための形態】
【００２７】
本発明に係る防水構造、及び、その防水構造の施工方法を図面に基づいて説明する。
〔第１実施形態〕
この防水構造１００は、図１に示すように、例えば、建物の屋上を防水対象部位２００とし、屋上床部２０１及び立ち上がり部２０２に対して防水シート等により防水層５が配設されている。立ち上がり部２０２の下端隅部には、雨水等のドレンを排水する排水口に接続された排水管１が備えられ、防水層５と排水管１とを繋ぐ状態でドレン部材４が備えられており、防水対象部位２００に対してドレンを排水管１に案内して排水するための防水構造１００が採用されている。図１は、防水構造１００が採用された建物の屋上の一部を拡大した断面図である。
【００２８】
図１に示す防水構造１００は、主として、既設の防水層１０等の改修時に採用されている。防水構造１００では、屋上床部２０１及び立ち上がり部２０２に対して既に防水シート等により既設の防水層１０が配設されており、その既設の防水層１０に対して塩化ビニル系の防水シート等を配置することで新たな防水層５をかぶせる状態で配設し、ドレン部材４を、排水管１と新たな防水層５とを繋ぐ状態で配設している。改修工事では、例えば、排水管１の排水口及びその周囲のみ、既設の防水層１０やその他の部材が除去され、それ以外の部分で既設の防水層１０が残され、その残された既設の防水層１０に対してかぶせる状態でドレン部材４及び新たな防水層５が配設される。
【００２９】
ドレン部材４は、図１及び図６に示すように、排水管１に挿入自在な筒部２と、筒部２の一端側において筒部２よりも径方向外側に拡大させた接合部３とを有している。ドレン部材４は、排水管１の排水口及びその周囲を取付対象部２０３としており、排水管１の排水口の周囲に残された既設の防水層１０に当て付ける状態で取り付けられている。
【００３０】
接合部３は、例えば、防水シート等からなるシート状に形成され、図６に示すように、立ち上がり部２０２の下端隅部の形状に対応して側面視Ｌ字状とされている。接合部３は、筒部２を接続するための筒状の接続部位３ｂがシート状部位３ａに一体的に形成され、筒部２の開口に対応する開口部３ｃが形成されている。筒部２は、接合部３の接続部位３ｂに接続されて変形自在な蛇腹状（可撓性及び伸縮性を有する）に形成され、例えば、フレキシブルホースにて構成されている。筒部２は、その外径が排水管１の内径よりも小さく形成されている。
【００３１】
ドレン部材４を取付対象部２０３に取り付けるに当たり、接合部３を取付対象部２０３に直接接合させるのではなく、図１及び図４に示すように、取付対象部２０３と接合部３との間に下地材７を介在させる状態で接合部３を取付対象部２０３に接合させて、ドレン部材４を取付対象部２０３に取り付けている。下地材７は、例えば、塩化ビニル樹脂を被覆した鋼板にて構成され、図４に示すように、排水口に対応する開口部７ａが形成されており、立ち上がり部２０２の下端隅部の形状に対応して側面視Ｌ字状に形成されている。また、下地材７は、例えば、硬質塩化ビニル樹脂板から構成することもできる。ドレン部材４の取付対象部２０３への取り付けは、図１に示すように、アンカー等の固定具８を用いて下地材７を取付対象部２０３に取り付け、その取付状態の下地材７に対して溶剤溶着や熱融着等によりドレン部材４の接合部３を接合している。
【００３２】
防水構造１００には、図１に示すように、ドレン部材４を取付対象部２０３に取り付けた状態で、排水管１の内壁部１ａとドレン部材４の接合部３側とに亘って配設されて排水管１の内壁部１ａとドレン部材４の接合部３側との間を遮蔽する遮蔽部材６が備えられている。遮蔽部材６の一端側６ａは、ドレン部材４の接合部３側として、排水管１の外部である下地材７に接続され（図１及び図４参照）、遮蔽部材６の他端側６ｂは、排水管１の内壁部１ａに接続されている（図１参照）。これにより、図１中矢印にて示すように、ドレン部材４の筒部２の外壁部と排水管１の内壁部１ａとの間を空気が流通したとしても、遮蔽部材６の遮蔽によって、その空気がドレン部材４の接合部３と取付対象部２０３との間に流通するのが防止される。
【００３３】
遮蔽部材６は、排水管１の内壁部１ａとドレン部材４の接合部３側としての下地材７に亘って配設されているので、下地材７を接続対象としている。これにより、遮蔽部材６は、下地材７に対して適切に且つ強固に接続され、排水管１の内壁部１ａと下地材７との間を遮蔽するという機能を適切に発揮できる。よって、ドレン部材４の筒部２の外壁部と排水管１の内壁部１ａとの間を空気が流通したとしても、その空気がドレン部材４の接合部３と取付対象部２０３との間に流通するのが適切に防止され、防水層の膨れや浮き等の不具合の発生を抑制できる。
【００３４】
遮蔽部材６は、図２に示すように、変形自在な筒状（可撓性及び伸縮性を有する）に形成され、例えば、蛇腹状のフレキシブルホースにて構成されている。ここで、ドレン部材４の筒部２、及び、遮蔽部材６をフレキシブルホースにて構成することができるが、例えば、遮蔽部材６をドレン部材４の筒部２よりも硬い材料にて形成することで、ドレン部材４の筒部２を排水管１に挿入し易くなる。
【００３５】
遮蔽部材６は、外径が異なる複数の筒状部位６ｃ〜６ｆが遮蔽部材６の軸心方向において他端側６ｂほど小径となる状態で並べて備えられている。この実施形態では、第１筒状部位６ｃ、第２筒状部位６ｄ、第３筒状部位６ｅ、第４筒状部位６ｆの４つの筒状部位が備えられており、その外径は、第１筒状部位６ｃ、第２筒状部位６ｄ、第３筒状部位６ｅ、第４筒状部位６ｆの順に小径となっている。遮蔽部材６の軸心方向において最も一端側６ａに位置する第１筒状部位６ｃは、それ以外の筒状部位６ｄ〜６ｆよりも軸心方向の長さが長く形成されている。遮蔽部材６において第１筒状部位６ｃよりも一端側６ａには、ドレン部材４の接合部３側に接続する鍔状の接続部位６ｇが備えられている。
【００３６】
遮蔽部材６の他端側６ｂを排水管１の内壁部１ａに接続する際には、図３に示すように、排水管１の内径に応じて、複数の筒状部位６ｃ〜６ｆのうち、どの筒状部位を排水管１の内壁部１ａに接続するかを選択することで、排水管１の内径に応じて遮蔽部材６の他端側６ｂの外径を調整自在に構成にされている。例えば、排水管１の内径が大きい場合には、図３（ａ）に示すように、遮蔽部材６における第１筒状部位６ｃを排水管１の内壁部１ａに接続する。排水管１の内径が第１筒状部位６ｃの外径よりも小さく且つ第３筒状部位６ｅの外径よりも大きい場合には、図３（ｂ）に示すように、遮蔽部材６における第２筒状部位６ｄを排水管１の内壁部１ａに接続する。このように、排水管１の内径が小さくなるほど、遮蔽部材６の他端側６ｂに位置する筒状部位６ｃ〜６ｆを選択して排水管１の内壁部１ａに接続することができ、排水管１の内径が異なる場合でも、１つの遮蔽部材６にて対応できることになる。
【００３７】
筒状部位６ｃ〜６ｆと排水管１の内壁部１ａとの接続は、筒状部位６ｃ〜６ｆの外壁部と排水管１の内壁部１ａとの間にシーリング材９を充填することで、筒状部位６ｃ〜６ｆと排水管１の内壁部１ａとを接続する。このとき、遮蔽部材６が変形自在であるので、筒状部位６ｃ〜６ｆを排水管１の内壁部１ａ側に移動させて筒状部位６ｃ〜６ｆの外壁部を排水管１の内壁部１ａに当て付ける状態でシーリング材９を充填させることができ、筒状部位６ｃ〜６ｆと排水管１の内壁部１ａとの接続を適切に行える。また、筒状部位６ｃ〜６ｆが蛇腹状であるので、その蛇腹部分にシーリング材９を適切に充填することができ、この点からも、筒状部位６ｃ〜６ｆと排水管１の内壁部１ａとの接続を適切に行える。
【００３８】
そして、第１〜第３筒状部位６ｃ〜６ｅを排水管１の内壁部１ａに接続する場合には、図３（ｂ）に示すように、その接続箇所よりも遮蔽部材６の他端側部分（小径の筒状部位６ｅ，６ｆ）が切断されて除去される。これにより、遮蔽部材６における排水管１の内壁部１ａとの接続箇所よりも遮蔽部材６の他端側部分（小径の筒状部位６ｅ，６ｆ）が排水管１に残ることがなく、ドレン部材４や他の部材の邪魔になることがない。図１に示すものでは、遮蔽部材６における第２筒状部位６ｄを排水管１の内壁部１ａに接続した場合を示しており、第３、第４筒状部位６ｅ、６ｆが切断除去されている。
【００３９】
以下、防水構造１００の施工方法について説明する。
まず、図４に示すように、遮蔽部材６の一端側６ａにおける接続部位６ｇを溶剤溶着等により下地材７の裏面側に接続して遮蔽部材６と下地材７とを一体的に形成する。一体的に形成された遮蔽部材６と下地材７を、遮蔽部材６を排水管１に挿入して下地材７を取付対象部２０３（既設の防水層１０）に当て付ける状態で配置させ、図１に示すように、固定具８にて下地材７を取付対象部２０３に取り付ける。下地材７を取付対象部２０３に取り付けるに当たり、既設の防水層１０と下地材７との間に絶縁シート等の絶縁層１１を配設することができる。
【００４０】
ここで、遮蔽部材６と下地材７とを一体的に形成するに当たり、図４に示すものでは、遮蔽部材６の接続部位６ｇを下地材７の裏面側に接続しているが、図５に示すように、遮蔽部材６の接続部位６ｇを下地材７の表面側に接続することもできる。この場合には、下地材７の開口部７ａに遮蔽部材６を挿入させて、遮蔽部材６の接続部位６ｇを溶剤溶着等により遮蔽部材６の表面側に接続することができる。
【００４１】
次に、図３に例示したように、遮蔽部材６の他端側６ｂを排水管１の内壁部１ａに接続する。ちなみに、図３（ｂ）に示す接続方法を採用することで、図１に示すように、遮蔽部材６における第２筒状部位６ｄを排水管１の内壁部１ａに接続することができる。筒状部位６ｃ〜６ｆのいずれか１つの外壁部と排水管１の内壁部１ａとの間にシーリング材９を充填することで、筒状部位６ｃ〜６ｆのいずれか１つと排水管１の内壁部１ａとを接続する。このとき、遮蔽部材６内にはドレン部材４等も存在せず、容易に遮蔽部材６内に作業者の手等を挿入できる。よって、遮蔽部材６内から筒状部位６ｃ〜６ｆのいずれか１つの外壁部を排水管１の内壁部１ａに当て付ける状態とすることができ、遮蔽部材６の他端側６ｂを排水管１の内壁部１ａに接続する作業を容易に行える。また、排水管１の内径に応じて、遮蔽部材６における複数の筒状部位６ｃ〜６ｆのうち、どの筒状部位を排水管１の内壁部１ａに接続するかを選択できる。そこで、第１〜第３筒状部位６ｃ〜６ｅのいずれか１つを排水管１の内壁部１ａに接続する場合には、遮蔽部材６を排水管１に挿入する以前等に、第１〜第３筒状部位６ｃ〜６ｅの接続箇所よりも遮蔽部材６の他端側部分（小径の筒状部位）を予め切断して除去しておくと好適である。
【００４２】
次に、図６に示すように、取付対象部２０３（既設の防水層１０）と接合部３との間に下地材７を介在させてドレン部材４を取付対象部２０３（既設の防水層１０）に取り付ける。ドレン部材４の筒部２を排水管１及び遮蔽部材６に挿入させてドレン部材４の接合部３を下地材７を介して取付対象部２０３（既設の防水層１０）に当て付ける状態とし、下地材７に対して溶剤溶着等によりドレン部材４の接合部３を接合する。
【００４３】
次に、ドレン部材４の接合部３の一部に重ね合わせる状態で防水シート等を配置して防水層５を配設する。ドレン部材４の接合部３に対して溶剤溶着又は熱融着により防水シート等を取り付けることで、ドレン部材４の一部に重ね合わせる状態で防水対象部位２００の全面に亘って防水層５を配設することができる。このとき、図示は省略するが、既設の防水層１０と新たな防水層５との間に適宜絶縁シート等により絶縁層を配置することもできる。
【００４４】
上述の施工方法では、防水層５の配設よりも先にドレン部材４を取り付ける先付け形式を採用している。これに代えて、防水層５の配設よりも後にドレン部材４を取り付ける後付け方式を採用することもでき、施工順序については適宜変更が可能である。
【００４５】
〔第２実施形態〕
第１実施形態では、遮蔽部材６の一端側６ａを、ドレン部材４の接合部３側としての下地材７に接続しているが、この第２実施形態では、図７及び図８に示すように、遮蔽部材６の一端側６ａを、ドレン部材４の接合部３側としての接合部３に接続している。遮蔽部材６の接続部位６ｇを、溶剤溶着等によりドレン部材４の接合部３の裏側に取り付けることで、遮蔽部材６の一端側６ａを接合部３に接続する。その他の構成については、第１実施形態と同様であるので、説明は省略する。
【００４６】
この第２実施形態においても、図７中矢印にて示すように、ドレン部材４の筒部２の外壁部と排水管１の内壁部１ａとの間を空気が流通したとしても、遮蔽部材６の遮蔽によって、その空気がドレン部材４の接合部３と取付対象部２０３との間に流通するのが防止される。
【００４７】
遮蔽部材６は、排水管１の内壁部１ａとドレン部材４の接合部３側としての接合部３に亘って配設されているので、接合部３を接続対象としている。これにより、遮蔽部材６は、接合部３に対して適切に且つ強固に接続され、排水管１の内壁部１ａと接合部３との間を遮蔽するという機能を適切に発揮できる。よって、ドレン部材４の筒部２の外壁部と排水管１の内壁部１ａとの間を空気が流通したとしても、その空気がドレン部材４の接合部３と取付対象部２０３との間に流通するのが適切に防止され、防水層の膨れや浮き等の不具合の発生を抑制できる。
【００４８】
この第２実施形態における防水構造１００の施工方法を説明する。
まず、図８に示すように、遮蔽部材６の一端側６ａにおける接続部位６ｇを溶剤溶着等により接合部３の裏面側に接続して遮蔽部材６とドレン部材４とを一体的に形成する。そして、遮蔽部材６が一体的に形成されたドレン部材４を、取付対象部２０３（既設の防水層１０）と接合部３との間に下地材７を介在させて取付対象部２０３（既設の防水層１０）に取り付ける。下地材７を固定具８にて取付対象部２０３（既設の防水層１０）に取り付けた上で、遮蔽部材６が一体的に形成されたドレン部材４を、遮蔽部材６を排水管１に挿入して接合部３を下地材７に当て付ける状態で配置させ、溶剤溶着等にて接合部３を下地材７に取り付ける。
【００４９】
ここで、遮蔽部材６の一端側６ａを接合部３に接続するに当たり、接合部３のどの箇所に遮蔽部材６の一端側６ａを接続するかは適宜変更が可能である。図７及び図８に示すものでは、排水管１の外部に位置することになる接合部３のシート状部位３ａに遮蔽部材６の一端側６ａを接続しているが、接合部３の接続部位３ｂに遮蔽部材６の一端側６ａを接続することもできる。
【００５０】
次に、図３に例示したように、遮蔽部材６の他端側６ｂを排水管１の内壁部１ａに接続する。ちなみに、図３（ｂ）に示す接続方法を採用することで、図７に示すように、遮蔽部材６における第２筒状部位６ｄを排水管１の内壁部１ａに接続することができる。筒状部位６ｃ〜６ｆのいずれか１つの外壁部と排水管１の内壁部１ａとの間にシーリング材９を充填することで、筒状部位６ｃ〜６ｆのいずれか１つと排水管１の内壁部１ａとを接続する。第１〜第３筒状部位６ｃ〜６ｅのいずれか１つを排水管１の内壁部１ａに接続する場合には、遮蔽部材６を排水管１に挿入する以前等に、第１〜第３筒状部位６ｃ〜６ｅの接続箇所よりも遮蔽部材６の他端側部分（小径の筒状部位）を予め切断して除去しておくと好適である。
【００５１】
ちなみに、上述の例では、遮蔽部材６の一端側６ａを接合部３に接続して遮蔽部材６とドレン部材４とを予め一体的に形成した状態で、ドレン部材４を取付対象部２０３に取り付け、その後、遮蔽部材６の他端側６ｂを排水管１の内壁部１ａに接続する処理を行っているが、これに代えて、次の施工順序で行うこともできる。まず、遮蔽部材６の他端側６ｂを排水管１の内壁部１ａに接続する処理を行い、その後、遮蔽部材６の一端側６ａを接合部３に接続して遮蔽部材６とドレン部材４とを一体的に形成した状態で、ドレン部材４を取付対象部２０３に取り付けることもできる。このように、施工順序については適宜変更が可能である。
【００５２】
次に、ドレン部材４の接合部３の一部に重ね合わせる状態で防水シート等を防水対象部位２００に配置して防水層５を配設する。ドレン部材４の接合部３に対して溶剤溶着又は熱融着により防水シート等を取り付けることで、ドレン部材４の一部に重ね合わせる状態で防水対象部位２００の全面に亘って防水層５を配設することができる。
【００５３】
上述の施工方法では、防水層５の配設よりも先にドレン部材４を取り付ける先付け方式を採用している。これに代えて、例えば、防水層５の配設よりも後にドレン部材４を取り付ける後付け方式を使用することもでき、施工順序については適宜変更が可能である。
【００５４】
〔第３実施形態〕
第１実施形態では、下地材７や防水層５を取付対象部２０３に直接取り付けている（図１参照）が、この第３実施形態では、図９に示すように、立ち上がり部２０２について、取付対象部２０３と下地材７及び防水層５との間に断熱材１２を介在させ、断熱性を向上させて改修工事を行っている。取付対象部２０３に断熱材１２を配設させた上で、その断熱材１２に対して、下地材７、ドレン部材４を順次取り付けるとともに、防止シート等を取り付けて防水層５を配設させる。ここで、図９では、第１実施形態と同様に、遮蔽部材６の一端側６ａを、ドレン部材４の接合部３側として、排水管１の外部である下地材７に接続しているが、第２実施形態と同様に、遮蔽部材６の一端側６ａを、ドレン部材４の接合部３側として、ドレン部材４の接合部３に接続することもできる。
【００５５】
〔別実施形態〕
（１）上記実施形態では、遮蔽部材６を変形自在な筒状に形成しているが、例えば、遮蔽部材６を、排水管１の内方側ほど小径となるように傾斜させた筒状の板状体にて構成することもでき、遮蔽部材６の変形度合いや形状等は適宜変更が可能であり、排水管１の内壁部１ａとドレン部材４の接合部３側とに亘って配設されて排水管１の内壁部１ａとドレン部材４の接合部３側との間を遮蔽するものであればよい。
【００５６】
（２）上記実施形態では、建物の屋上を防水対象部位２００としているが、例えば、建物のベランダ等、排水管１が備えられた他の箇所を防水対象部位２００とすることもでき、どのような箇所を防水対象部位２００とするかは適宜変更が可能である。
【符号の説明】
【００５７】
１          排水管
１ａ        内壁部
２          筒部
３          接合部
４          ドレン部材
５          防水層
６          遮蔽部材
６ａ        遮蔽部材の一端側
６ｂ        遮蔽部材の他端側
７          下地材
【図１】
0006660170.tif 000002
【図２】
0006660170.tif 000003
【図３】
0006660170.tif 000004
【図４】
0006660170.tif 000005
【図５】
0006660170.tif 000006
【図６】
0006660170.tif 000007
【図７】
0006660170.tif 000008
【図８】
0006660170.tif 000009
【図９】
0006660170.tif 000010